(57)【要約】【課題】面積が広い集水域でも、繊維質シートを簡単に展張させて沈めて、集水域の浄化を効率的に図れる、集水域の浄化方法及び集水域浄化のための施工装置を提供する。【解決手段】繊維質シートのロールＲを、送受信機を介して遠隔操作できる自走可能な無人船１０に搭載し、ロールＲから繊維質シートＳを送り出しながら進行させて、集水域Ｌに繊維質シートＳを展張させる。送受信機を介した遠隔操作によって無人船１０を制御することにより、面積の広い集水域でも比較的簡単に繊維質シートを展張でき、そして、集水域Ｌに展張して沈められた繊維質シートＳにより、アオコの原因となる植物プランクトンの生育が阻害されて、集水域Ｌの水を浄化できる。【選択図】図７
2008069551.tif 000002
【特許請求の範囲】
【請求項１】
集水域に繊維質シートを展張して沈め、放置する集水域の浄化方法において、前記繊維質シートのロールを、送受信機を介して遠隔操作できる自走可能な無人船に搭載し、前記ロールから前記繊維質シートを送り出しながら進行させて、前記集水域に前記繊維質シートを展張させることを特徴とする集水域の浄化方法。
【請求項２】
送受信機を介して遠隔操作できる自走可能な無人船に、繊維質シートのロールを回転可能に支持するロール支持手段と、このロールから引き出された繊維質シートを集水域に送り出すシート供給手段とを設けたことを特徴とする集水域浄化のための施工装置。
【請求項３】
前記無人船は、前記ロール支持手段を有するフレームと、このフレームの左右に設けられたフロートと、前記フレームの、前記無人船が浮かぶ水面より上方に位置する部分に取付けられた左右一対の前進用のプロペラと、このプロペラをそれぞれ独自に回転させるモータとを有している請求項２記載の集水域浄化のための施工装置。
【請求項４】
前記無人船は、前記前進用のプロペラの他に、後進用のプロペラと、それを回転させるモータとを有している請求項３記載の集水域浄化のための施工装置。
【請求項５】
前記シート供給手段は、前記ロールから引き出された繊維質シートを挟持する一対の送り出しローラと、この一対の送り出しローラの少なくとも一方を回転させる駆動手段とで構成されている請求項２〜４のいずれか１つに記載の集水域浄化のための施工装置。
【発明の詳細な説明】
【技術分野】
【０００１】
本発明は、アオコ等の水質汚濁を除去するための繊維質シートを簡単に展張させ、集水域の浄化作業を容易に行うことができる、集水域の浄化方法及び集水域浄化のための施工装置に関する。
【背景技術】
【０００２】
近年、湖、沼、池等の集水域の富栄養化による水質汚濁が重大な社会問題となっている。この水質汚濁は、経済活動の活発化に伴ない、各種排水に含まれる窒素やリン等が大量に河川を介して集水域に流入することにより集水域の人為的富栄養化現象が起き、窒素やリン等を栄養源とする植物プランクトンが異常に増殖するために生じるものである。
【０００３】
上記問題を解決するため、例えば、下記特許文献１には、集水域に、紙、布又はガラス繊維から選ばれた材質からなる水不溶性で沈降性の繊維質シートを展張して沈め、放置することを特徴とする集水域の浄化方法が開示されている。このように、集水域に繊維質シートを展張して沈めて放置することにより、植物プランクトンの繁殖を抑えて、集水域の浄化を行うことができるようになっている。
【０００４】
また、上記特許文献１の実施形態には、例えば、ロール状に巻かれた繊維質シートを、集水域の岸や適当な固定物に固定して、繊維質シートの端部を引っ張ることにより展張する方法が記載されており、更に、繊維質シートの端部を引っ張る方法として、例えば、釣り糸に結んだ釣り針を、繊維質シートの端部に引っ掛けて、繊維質シートを引っ張るようにすることが併せて記載されている。
【特許文献１】特開２００５−１０３５０６号公報
【発明の開示】
【発明が解決しようとする課題】
【０００５】
上記特許文献１に記載された、釣り糸に結んだ釣り針をロール状に巻かれた繊維質シートの端部に引っ掛けて繊維質シートの端部を引っ張ることにより、繊維質シートを展張する方法では、ロール状に巻かれた繊維質シートを所定箇所に一旦固定した後、釣り針等で引っ張るといった工程が必要であるため、煩雑で手間がかかり、繊維質シートの展張作業の作業性に問題があった。また、集水域の面積が広い場合は、複数の繊維質シートを引っ張らなければ、集水域全体に繊維質シートを展張することができないため、作業効率が悪く、更に、釣り糸を介して遠く離れた場所から繊維質シートを引き出さなければならず、作業性に問題があった。
【０００６】
したがって、本発明の目的は、面積が広い集水域であっても、繊維質シートを簡単に展張させて沈めることができ、集水域の浄化を効率的に図れる、集水域の浄化方法及び集水域浄化のための施工装置を提供することにある。
【課題を解決するための手段】
【０００７】
上記目的を達成するため、本発明の集水域の浄化方法は、集水域に繊維質シートを展張して沈め、放置する集水域の浄化方法において、前記繊維質シートのロールを、送受信機を介して遠隔操作できる自走可能な無人船に搭載し、前記ロールから前記繊維質シートを送り出しながら進行させて、前記集水域に前記繊維質シートを展張させることを特徴とする。
【０００８】
上記発明によれば、繊維質シートのロールを、送受信機を介して遠隔操作できる自走可能な無人船に搭載し、前記ロールから前記繊維質シートを送り出しながら進行させて、集水域に前記繊維質シートを展張させるようにしたので、送受信機を介した遠隔操作によって面積の広い集水域に比較的簡単に繊維質シートを展張することができる。また、こうして、集水域に繊維質シートを展張し、沈めて放置することにより、アオコの原因となる植物プランクトンの生育が阻害され、集水域の水が浄化されて清澄化される。
【０００９】
また、本発明の集水域浄化のための施工装置は、送受信機を介して遠隔操作できる自走可能な無人船に、繊維質シートのロールを回転可能に支持するロール支持手段と、このロールから引き出された繊維質シートを集水域に送り出すシート供給手段とを設けたことを特徴とする。
【００１０】
上記発明によれば、無人船に繊維質のロールを搭載支持させ、送受信機を介して遠隔操作により上記無人船を進行させつつ、シート供給手段によって繊維質シートを集水域に送り出すことにより、集水域に繊維質シートを展張させて沈めることができ、集水域の浄化作業を容易に実施することができる。
【００１１】
本発明の集水域浄化のための施工装置においては、前記無人船は、前記ロール支持手段を有するフレームと、このフレームの左右に設けられたフロートと、前記フレームの、前記無人船が浮かぶ水面より上方に位置する部分に取付けられた左右一対の前進用のプロペラと、このプロペラをそれぞれ独自に回転させるモータとを有していることが好ましい。これによれば、プロペラを空気中で回転させて、空気流による推進力によって無人船を進行させるようにしたので、集水域に送り出された繊維質シートがスクリュー等に絡まる虞れがない。また、集水域中に汚泥や藻類等がある場合でも、それらに影響を受けることなく、無人船を集水域上でスムーズに推進させることができる。更に、梶等の機構を有しなくても、左右のプロペラの双方、又はいずれか一方を回転させることにより、直進、右旋回、左旋回等を行うことができる。
【００１２】
また、本発明の集水域浄化のための施工装置においては、前記無人船は、前記前進用のプロペラの他に、後進用のプロペラと、それを回転させるモータとを有していることが好ましい。これによれば、後進用のプロペラを回すことによって、無人船を後退させることもできるので、無人船が前進して岸等に突き当たったときでも、後退して進路を変えることができる。
【００１３】
更に、本発明の集水域浄化のための施工装置においては、前記シート供給手段は、前記ロールから引き出された繊維質シートを挟持する一対の送り出しローラと、この一対の送り出しローラの少なくとも一方を回転させる駆動手段とで構成されていることが好ましい。これによれば、繊維質シートを一対の送り出しローラで挟持して、駆動手段により少なくとも一方の送り出しローラを回転させることによって、繊維質シートを確実に送り出すことができる。
【発明の効果】
【００１４】
本発明の集水域の浄化方法及び集水域浄化のための施工装置によれば、繊維質シートのロールを、送受信機を介して遠隔操作できる自走可能な無人船に搭載し、ロールから繊維質シートを送り出しながら進行させて、集水域に繊維質シートを展張させるようにしたので、送受信機を介した遠隔操作によって面積の広い集水域に比較的簡単に繊維質シートを展張することができ、また、集水域に展張された状態で沈められて放置された繊維質シートによって植物プランクトンの生育が阻害されるため、集水域の浄化を図れる。
【発明を実施するための最良の形態】
【００１５】
以下、図面を参照して、本発明の集水域の浄化方法及び集水域浄化のための施工装置について説明する。
【００１６】
図７に示すように、本発明は、集水域Ｌに繊維質シートＳを展張して沈めて、放置することにより集水域Ｌの浄化を図るものである。ここで本発明における集水域Ｌとは、湖、沼、池、ダム湖、堀等の貯水された状態にある水域を意味するものである。
【００１７】
また、本発明で使用される繊維質シートＳとしては、紙、布又はガラス繊維から選ばれた材質からなる水不溶性で沈降性のものを用いることができ、中でも不織紙又は不織布が好ましく用いられる。繊維質シートＳの大きさは、特に限定されないが、通常、厚さ０．２〜２．５ｍｍ、幅２０〜２００ｃｍ、長さ３０〜５０ｍの帯状のものが用いられる。本発明においては、取扱い性や、携帯性、展張させる際の作業性等を考慮して、帯状に伸びる繊維質シートＳは、ロール状に巻回されて用いられるようになっている。すなわち、帯状の繊維質シートＳは、中空で円筒形状をなした芯材Ｃに巻き付けられてロール状をなしており、これが本発明における繊維質シートのロールＲ（以下、「ロールＲ」という）を構成している（図１参照）。
【００１８】
また、上記の不織紙又は不織布としては、いわゆるペーパータオルやキッチンペーパー（キッチンタオル）等に用いられているものと同様な材質の繊維質シートが好ましく用いられ、市販のペーパータオルやキッチンペーパー（キッチンタオル）をそのまま用いることもできる。なお、ペーパータオルやキッチンペーパー（キッチンタオル）には、パルプ繊維を抄造して得られる紙製のもの（不織紙）、パルプ繊維をビニル系高分子化合物で結合させて得られるエアレイド不織布製のもの、パルプ繊維と熱可塑性合成繊維とを混抄して得られるウェブに高圧噴射水流を作用させてこれら両繊維を機械的に交絡させて得られる不織布製のものなどがあり、本発明においてはそれらのいずれも用いることができるが、価格と操作性の観点から、主原料としてパルプ繊維が１００％用いられている不織紙が特に好ましく用いられる。このような不織紙は市販されており、例えば、商品名「クレシアフードラップ２Ｒ」、商品名「クレシアフード専科ワイド１Ｒ」（いずれも株式会社クレシア製）等を用いることができる。なお、上記の不織紙又は不織布は、微生物によって分解可能であって、自然環境に負荷を与えないような材質であることがより好ましい。
【００１９】
また、ペーパータオルやキッチンペーパーと同様な不織紙を用いる場合、その耐水性や強度を更に向上させるために、例えば、ポリエチレン、ポリプロピレン、ポリエステル等のフィルム、ポリエチレン、ポリプロピレン、ポリエステル、レーヨン、木材繊維等の繊維を用いてスパンレース法、スパンボンド法、メルトブロー法、熱エンボス法等で製造した不織布、木綿、絹、天然ゴム等で製造した糸、これらの糸を網状に織ったスクリムなどを添加したり、積層したりして補強し、あるいは、カルボキシメチルセルロースに代表されるセルロース系接着剤、デンプン系接着剤などの接着剤を添加して補強してもよい。なお、上記のフィルム、糸、繊維、接着剤等補強材は、前述した不織紙又は不織布と同様に、微生物によって分解可能であって、自然環境に負荷を与えないような材質であることがより好ましい。
【００２０】
次に、繊維質シートＳが巻回されたロールＲを集水域Ｌに展張させる、本発明の集水域浄化のための施工装置１（以下、「施工装置１」という）について説明する。
【００２１】
図１に示すように、この施工装置１は、送受信機を介して遠隔操作できる自走可能な無人船１０を有しており、この無人船１０に前記ロールＲを回転可能に支持するロール支持手段と、ロールＲから引き出された繊維質シートＳを集水域Ｌに送り出すシート供給手段とが設けられた構造となっている。前記送受信機は、図２及び図５に示すように、無人船１０とは別体で所定の制御信号を発信する送信機３と、無人船１０の所定箇所に取付けられ制御信号を受信する受信コントローラ４０（後述する）とからなっている。
【００２２】
具体的に説明すると、無人船１０は、前記ロールＲを回転可能に支持するロール支持手段を有するフレーム２０を備えている。フレーム２０は、水平方向に長く伸びる３本の横パイプ２１ａの両端に一対の縦パイプ２１ｂ，２１ｂが連結されて、横長の枠形状をなした前フレーム２１と、水平方向に長く伸びる２本の横パイプ２３ａの両端に一対の縦パイプ２３ｂ，２３ｂが連結されて、前フレーム２１と同様に横長の枠形状をなした後フレーム２３とを有している。そして、各フレーム２１，２３の各縦パイプ２１ｂ，２３ｂに沿って、上下に伸びる中間プレート２４，２４が取付けられ、この中間プレート２４，２４に、横断面が略Ｌ字状をなす複数の連結プレート２５，２５が取付けられ、これによって前フレーム２１及び後フレーム２３が連結されて、上方から見たときに一方向に長く伸びる枠形状をなしたフレーム２０が構成されている（図１，２参照）。なお、このフレーム２０は、前フレーム２１が後フレーム２３よりも高く突出している。
【００２３】
また、フレーム２０の左右両側の連結プレート２５の内、上側に取付けられた連結プレート２５，２５の上面には、図２に示すように、その長さ方向中間より、やや後フレーム２３寄りの部分から、上方が開口した略Ｕ字状の軸受２７，２７がそれぞれ突設している。この軸受２７，２７には、図１に示すように、前記ロールＲの円筒形状の芯材Ｃ内に挿入される支軸２８の両端部が載置されるようになっている。したがって、ロールＲの芯材Ｃ内に支軸２８が挿入された状態で、支軸２８の両端部を軸受２７，２７に載置することにより、ロールＲを回転可能に支持できるようになっている。なお、上記の軸受２７及び支軸２８が、本発明におけるロール支持手段をなしている。
【００２４】
なお、上記ロール支持手段によりフレーム２０にロールＲが支持された状態で、ロールＲの上方にカバー部材２６を被せてもよい（図１想像線参照）。こうすると、ロールＲが雨や水飛沫等により集水域Ｌに展張する前に濡れてしまうことを防止でき、また、後述するプロペラの回転により生じる空気流がロールＲに直接当ることを防止して、ロールＲへの悪影響を抑制できるようになっている。この実施形態でのカバー部材２６は、略長方形状をなし、その長手方向の一側辺が下方に折り曲げられており、ロールＲの周方向の上面側及び後フレーム２３側の周面を広く覆うことができるようになっている。
【００２５】
フレーム２０の長手方向の左右両側には、無人船１０を集水域Ｌの水面上に浮かせるためのフロート３０が装着されている。図３（ａ），（ｂ）に示すように、このフロート３０は、両端が先細テーパ状に窄まった円柱形状をなしていて、これが上下に２つ重ねられて、枠形状をなした一対のフロートホルダ３１，３１によって固定されている。そして、一対のフロートホルダ３１，３１が、フレーム２０の左右に取付けられた下側の連結プレート２５にそれぞれ固着されることにより、フレーム２０の左右両側に２つずつ、合計で４つのフロート３０がフレーム２０の長手方向に直交する向きで装着されるようになっている。この実施形態においては、フロート３０は、発泡スチロールで形成されているが、材質は特に限定されない。なお、シート供給手段により集水域Ｌに送り出される前に繊維質シートＳが濡れるのを防止するため、フロート３０は、ロール支持手段により支持されるロールＲの下側の周面が、集水域Ｌの水面上に接触しない程度の浮力が発生するような形状や個数であることが好ましい。
【００２６】
次に、無人船１０を推進させるための手段について説明すると、この実施形態では、空気中で回転する複数のプロペラによって無人船１０が推進するようになっている。各プロペラは空気中で回転するものであるため、フレーム２０の無人船１０が浮かぶ水面より上方に位置する部分に設けられている。図４及び図５を併せて参照すると、この実施形態では、前フレーム２１の最も高い位置に配設された横パイプ２１ａの軸方向の中間、及び、該横パイプ２１ａの中間から所定間隔をあけて左右両側に、３つのＬ型ブラケット３３が留金３４を介してビス３５により取付けられている。なお、横パイプ２１ａ中央のＬ型ブラケット３３は、その屈曲片３３ａが後フレーム２３側に向けて取付けられているのに対し、左右のＬ型ブラケット３３，３３の屈曲片３３ａは、それとは反対側に向けて取付けられている。
【００２７】
各ブラケット３３の屈曲片３３ａにはモータ３６が各々取付けられており、各モータ３６の回転軸には２枚羽根のプロペラ３７がそれぞれ装着されている。この場合、中央のプロペラ３７は後フレーム２３側に向けられていて、これが無人船１０を後進させるための後進用のプロペラとなっている。一方、左右一対のプロペラ３７，３７は、中央のプロペラ３７とは反対側に向けられ、前フレーム２１よりも更に前方に突き出た位置に配設されていて、これが無人船１０を前進させるための前進用のプロペラとなっている。また、各モータ３６からはリード線３６ａがそれぞれ伸びていて、これが後述する受信コントローラ４０に各々接続されており、その結果、上記３つのモータ３６の回転動作がそれぞれ独立して制御されるようになっている。
【００２８】
なお、この実施形態では無人船１０の推進用として、空気中が回転するプロペラを採用したが、例えば、左右のフロート３０の下方にスクリューを配設して、これにより無人船１０を推進させるようにしてもよく、特に限定されるものではない。
【００２９】
前記送信機３からの制御信号を受信すると共に、該制御信号に基いて各モータの回転動作を制御して、無人船１０の推進速度やシート供給量をコントロールする、受信コントローラ４０は、図２及び図５に示すように、前フレーム２１の最も下側に配設された横パイプ２１ａの軸方向中間から後フレーム２３側に延設した一対の支持パイプ４１，４１上に載置固定されている。この受信コントローラ４０には、各プロペラ３７を回転させるモータ３６のリード線３６ａが接続されていると共に、後述する第１送り出しローラ４５を回転させるためのモータ４７から伸びるリード線４７ａが接続されている。したがって、この受信コントローラ４０により、前記送信機３から発信された制御信号を受信すると共に、リード線３６ａ，４７ａを介してモータ３６，４８に作動信号を送信するようになっている。すなわち、受信コントローラ４０により、各プロペラ３７の回転動作を制御して無人船１０を推進できると共に、第１送り出しローラ４５の回転動作を制御してロールＲから繊維質シートＳを送り出すことができるようになっている。
【００３０】
次に、図２及び図６を参照して、ロールＲから引き出された繊維質シートＳを、集水域Ｌに送り出すためのシート供給手段について説明する。このシート供給手段は、ロールＲから引き出された繊維質シートＳを挟持する一対の送り出しローラと、この一対の送り出しローラの少なくとも一方を回転させる駆動手段とから構成されている。具体的には、図２に示すように、フレーム２０の左右両側の連結プレート２５のうち、下側に取付けられた一対の連結プレート２５，２５の間に、第１送り出しローラ４５及び第２送り出しローラ５０からなる一対の送り出しローラが、回転可能に支持されている。前記第１送り出しローラ４５は、その外周にゴム、エラストマー等からなる弾性滑り止め層４５ａが被覆されていると共に、軸方向の両端部が連結プレート２５を貫通して、その一端には連結プレート２５の外側に配設された歯溝付きの従動プーリ４６が連結されている。
【００３１】
また、図２，６に示すように、フレーム１０の右側に位置する連結プレート２５のうち、上側の連結プレート２５の内側にはモータ４７が固設されており、その回転軸には、歯溝付きの駆動プーリ４８が固着されている。なお、モータ４７が固設された連結プレート２５には、駆動プーリ４８の一部が入り込む長孔２５ａが形成されており、駆動プーリ４８が回転可能となっている。また、モータ４７からはリード線４７ａが伸びていて、これが前記受信コントローラ４０に接続されているため、送信機３によりモータ４７の回転動作を制御可能となっている。そして、駆動プーリ４８及び従動プーリ４６には、内周に歯溝が形成された無端ベルト状のタイミングベルト４９が張設されている。その結果、モータ４７により駆動プーリ４８が回転すると、タイミングベルト４９を介して従動プーリ４６が回転し、それによって第１送り出しローラ４５が所定の回転方向で回転するようになっている。なお、上記のモータ４７、駆動プーリ４８、タイミングベルト４９、従動プーリ４６が、本発明における、一対の送り出しローラの少なくとも一方を回転させる駆動手段をなしている。
【００３２】
前記第１送り出しローラ４５よりも後フレーム２３側には、第２送り出しローラ５０が、第１送り出しローラ４５の軸心と平行となるように対向して配設されており、その外周にはゴム、エラストマーからなる弾性リング５１が、軸方向に沿って所定間隔をあけて複数個装着されている。また、第２送り出しローラ５０の両端から突出した軸部５０ａは、連結プレート２５の側部に所定長さで設けられた移動スロット２５ｂ内を通って、連結プレート２５の外方に突出している。更に、前記軸部５０ａには、一端部が連結プレート２５に連結されたコイルスプリング５３の他端部が引き掛けられており、これによって第２送り出しローラ５０が、第１送り出しローラ４５に向かって弾性付勢されるようになっている。なお、前記コイルスプリング５３の他端部は環状をなしており、これが軸部５０ａ外周に引き掛けられているので、第２送り出しローラ５０を回転可能としている。
【００３３】
そして、繊維質シートＳの表裏両面が、第１送り出しローラ４５及び第２送り出しローラ５０により挟持されると共に、第１送り出しローラ４５が前記駆動手段により回転することにより、繊維質シートＳを確実に送り出すことができるようになっている。なお、この実施形態の場合、ロールＲから引き出された繊維質シートＳは、第１送り出しローラ４５の上側の周面を通って、第１送り出しローラ４５及び第２送り出しローラ５０の間に導入されるので（図７参照）、繊維質シートＳは、フレーム２０の下方から集水域Ｌに向かって送り出されるようになっている。
【００３４】
このとき、第１送り出しローラ４５外周の弾性滑り止め層４５ａ及び第２送り出しローラ５０外周の弾性リング５１が、繊維質シートＳの両面に弾性的に当接して、繊維質シートＳが挟み込まれるため、繊維質シートＳの送り出しが確実かつスムーズになされるようになっている。また、第２送り出しローラ５０の軸部５０ａは、前記移動スロット２５ｂ内でスライド可能であるため、繊維質シートＳの厚さに影響されず、繊維質シートＳを確実に挟持可能となっている。
【００３５】
次に、上記構成からなる本発明の施工装置１を用いた、本発明による流水域の浄化方法について説明する。
【００３６】
まず、図１に示すように、繊維質シートＳが巻回されたロールＲの芯材Ｃ内に支軸２８を挿入して、その両端部を軸受２７，２７上に載置して、フレーム２０にロールＲを回転可能に支持させる。この実施形態の場合、同一幅の繊維質シートＳが巻回されたロールＲを３つ、軸方向に配列させて支軸２８により回転可能に支持させている。次いで、ロールＲから繊維質シートＳの端部を引っ張って所定長さ引き出し、該繊維質シートＳの端部を第１送り出しローラ４５の上側周面を通して一対のローラ４５，ローラ５０の間に導入することにより、繊維質シートＳを一対のローラ４５，５０によって挟持させる（図７参照）。こうして、繊維質シートＳを一対のローラ４５，５０により挟持させた状態で、フレーム２０にロールＲを回転可能にセットする。また、必要に応じて、ロールＲを保護するためのカバー部材２６を被せる。
【００３７】
上記のようにロールＲをセットした状態で、集水域Ｌの水面上に無人船１０を浮かべ、送信機３を操作して無人船１０を遠隔操作する。そして、送信機３により受信コントローラ４０を介して左右のモータ３６を作動させ、左右一対のプロペラ３７，３７を回転させて、無人船１０を前方に推進させつつ、同じく送信機３により受信コントローラ４０を介してモータ４７を作動させ、第１送り出しローラ４５を回転させて、繊維質シートＳを集水域Ｌの水面に向かって送り出す。こうして、ロールＲから繊維質シートＳを送り出しながら、無人船１０を進行させることにより、図７に示すように、集水域Ｌに繊維質シートＳを展張させることができる。このとき、無人船１０は送受信機による遠隔操作により操作可能であるので、面積が広い集水域Ｌであっても、比較的簡単に繊維質シートＳを展張することができる。
【００３８】
展張した繊維質シートＳは、沈降性であるため次第に集水域Ｌ中に沈んでいく。そして、集水域Ｌ中に沈んだ繊維質シートＳは、そのまま放置する。こうして、集水域Ｌに繊維質シートＳを展張し、沈めて放置することにより、アオコの原因となる植物プランクトンの生育が阻害されるので、集水域Ｌの水を浄化し清澄化させることができる。このように、本発明によれば、無人船１０により集水域Ｌに繊維質シートＳを展張させて沈めるだけの簡単な作業で、集水域Ｌの浄化作業を容易に実施することができる。
【００３９】
なお、繊維質シートＳによる浄化作用の作用原理は明確ではないが、集水域Ｌに沈められた繊維質シートＳが温床となって、植物プランクトン以外のバクテリア等が活発に増殖し、その結果、植物プランクトンへの栄養分の循環量が不足して、植物プランクトンの繁殖が抑えられるのではないかと考えられている。また、集水域Ｌに沈められた繊維質シートＳは、前述のように増殖したバクテリア等によって、時間の経過に伴って次第に分解されるので、特に回収する必要はない。但し、繊維質シートＳを集水域Ｌに所定期間放置した後、回収するようにしてもよい。
【００４０】
また、この実施形態では、無人船１０を前進させるための推進手段として、空気中で回転する一対のプロペラ３７，３７を採用している。これに対し、推進手段として水中で回転するスクリューを採用した場合には、送り出された繊維質シートＳがスクリューに絡まる虞れがあるが、この実施形態では、一対のプロペラ３７，３７を空気中で回転させて、それにより生じる空気流による推進力によって、無人船１０を進行させるようにしたので、繊維質シートＳが絡まる虞れが全くなく、無人船１０を確実に推進させることができる。また、集水域Ｌ中に汚泥や藻類等がある場合でも、それらに影響を受けることなく、無人船１０を集水域Ｌ上でスムーズに推進させることができる。
【００４１】
更に、梶等の機構を有しなくても、左右のプロペラ３７，３７の双方、又はいずれか一方を回転させることにより、直進、右旋回、左旋回等を行うことができる。例えば、図５に示すように、右側のプロペラ３７を停止させた状態で左側のプロペラ３７を回転させることにより、無人船１０を右旋回させることができ、その逆に、左側のプロペラ３７を停止させ右側のプロペラ３７を回転させれば、左旋回させることができる。
【００４２】
更に、この実施形態では、前述した左右一対の前進用のプロペラ３７，３７とは別に、後進用のプロペラ３７が設けられているので、左右のプロペラ３７，３７を停止させて、後進用のプロペラ３７を回すことによって、無人船１０を後退させることもできる。したがって、無人船１０が前進して岸等に突き当たったときでも、後退して進路を変えることができ、自由自在に無人船１０をコントロールして、繊維質シートＳの展張作業をより容易に行うことが可能となる。
【実施例】
【００４３】
本発明の施工装置１を用いて、集水域Ｌに繊維質シートＳを展張した。
【００４４】
繊維質シートのロールＲとしては、商品名「フード専科ワイド１Ｒ」（幅４５．８ｃｍ、長さ３７．５ｍ、株式会社クレシア製）を３本用いて、支軸２８によりフレーム２０に回転可能に支持し、その端部を引っ張って一対の送り出しローラ４５，５０の間に挟持させた。
【００４５】
そして、送信機３により無人船１０を前進させつつ、繊維質シートＳを４０秒間だけ、集水域Ｌに送り出して展張させた。そのときに繊維質シートＳをどの程度、展張させることができるかを確認した。
【００４６】
その結果、一回のシート送り出し工程によって、５１．４６ｍ２もの展張面積で、繊維質シートＳを展張させることができた。したがって、広い面積の集水域Ｌでも、効率的に繊維質シートＳを展張させることができ、集水域Ｌの浄化作業を容易に行えることが実証できた。
【産業上の利用可能性】
【００４７】
本発明は、水質汚濁を除去するための繊維質シートを簡単に展張させ、集水域の浄化作業を容易に行える、集水域の浄化方法及び集水域浄化のための施工装置として利用することができる。
【図面の簡単な説明】
【００４８】
【図１】本発明の集水域浄化のための施工装置の一実施形態を示す斜視図である。
【図２】同集水域浄化のための施工装置において、ロールを取り外した状態を示す斜視図である。
【図３】同集水域浄化のための施工装置のフロート取付け構造を示しており、（ａ）は平面図、（ｂ）は正面図である。
【図４】同集水域浄化のための施工装置の推進手段を示す斜視図である。
【図５】同集水域浄化のための施工装置の受信コントローラを示す斜視図である。
【図６】同集水域浄化のための施工装置のシート供給手段を示す斜視図である。
【図７】本発明の集水域の浄化方法を示す斜視図である。
【符号の説明】
【００４９】
１  施工装置
３  送信機
１０  無人船
２０  フレーム
３０  フロート
３６  モータ
３７  プロペラ
４０  受信コントローラ
４５  第１送り出しローラ
４７  モータ
５０  第２送り出しローラ
Ｌ  集水域
Ｒ  ロール
Ｓ  繊維質シート
【図１】
2008069551.tif 000003
【図２】
2008069551.tif 000004
【図３】
2008069551.tif 000005
【図４】
2008069551.tif 000006
【図５】
2008069551.tif 000007
【図６】
2008069551.tif 000008
【図７】
2008069551.tif 000009